(57)【特許請求の範囲】
【請求項１】
前面に遊技領域が形成された遊技盤の裏面側に、左右方向に並んで取り付けられた左ユニット取付部および右ユニット取付部と、
前記左右ユニット取付部に取り付けられる板状部材と、
前記左右ユニット取付部に揺動可能に取り付けられるユニットと、を有する遊技機であって、
前記左ユニット取付部が、
前記ユニットを揺動可能に支持する左支持面部を有する左支持部と、
前記左支持部から右方向に段状に延び、前記板状部材が取り付けられる左取付面部を有する左板取付部と、
前記左板取付部の前記左取付面部から外方に突出する左係合突起部と、
前記左板取付部の下側の側面に突出するように形成された左下突起部と、を有して構成され、
前記右ユニット取付部が、
前記左支持面部と略同一平面上に位置し、前記ユニットを揺動可能に支持する右支持面部を有する右支持部と、
前記右支持部から左方向に段状に延び、前記左取付面部と略同一平面上に位置し、前記板状部材が取り付けられる右取付面部を有する右板取付部と、
前記右板取付部の前記右取付面部から外方に突出する右係合突起部と、
前記右板取付部の下側の側面に突出するように形成された右下突起部と、を有して構成され、
前記板状部材が、
前記左右板取付部の前記左右取付面部と当接する取付面部と、
前記取付面部の上下端部が折曲されて形成され、前記左右板取付部の上下の側面を覆う上下側面部と、
前記取付面部に形成され、前記左右係合突起部の各々が挿入される左右係合孔と、
前記左右係合孔の各々の上側縁部に形成され、前記左右係合孔内に突出する左右嵌合部と、を有して構成され、
前記左右板取付部に前記板状部材を取り付けて、前記板状部材の前記取付面部と前記左右板取付部の前記左右取付面部とが当接するときに、前記板状部材の下側面部が前記左右下突起部により下方に押され、前記左右係合突起部と前記左右係合孔の前記嵌合部とが嵌合するように構成されたことを特徴とする遊技機。
【請求項２】
前記ユニットを揺動可能に支持する左右軸受部が、前記左右支持部の各々の下端に形成され、
前記ユニットを前記左右支持部に対して揺動させたときに、前記ユニットの下側端部と前記左右板取付部の下側端部との間に間隙が形成されることを特徴とする請求項１に記載の遊技機。
【請求項３】
前記板状部材が導電性材料で形成され、
前記ユニットが取り付けられたときに、前記板状部材が前記ユニットをシールドするように構成されたことを特徴とする請求項１または２に記載の遊技機。
【発明の詳細な説明】
【技術分野】
【０００１】
本発明は、遊技盤の裏面側に画像制御基板アッセンブリと主基板アッセンブリが取り付けられた遊技機に関し、特に詳細には、後面視において、画像制御基板アッセンブリの一部分を主基板アッセンブリの一部分が覆うように配置されるとともに、主基板アッセンブリを遊技盤に対して後方に揺動させ、画像制御基板アッセンブリを遊技盤に対して着脱可能に構成した遊技機に関する。
【背景技術】
【０００２】
パチンコ機等に代表される遊技機は、遊技における演出効果を高めるために遊技盤の中央部に画像表示装置を備え、遊技の進行状況に応じて表示される画像を変化させるものがある。このような遊技機においては、画像表示装置に表示される画像を制御する画像制御基板アッセンブリや遊技機全体を制御する主基板アッセンブリ等のユニットが用いられており、これらを遊技機内に効率よく配置するために、遊技盤の裏側に配置したものが知られている（例えば、特許文献１参照）。
【０００３】
【特許文献１】特開２００５−５２４４８号公報（第２図）
【発明の開示】
【発明が解決しようとする課題】
【０００４】
しかしながら、遊技機による演出効果を高めるために、近年では画像表示装置が大型化する傾向にあり、それにともない画像制御基板アッセンブリも大型化しているため、遊技盤の裏面側に主基板アッセンブリを配置するスペースが制限されるという課題があった。
【０００５】
本発明はこのような課題に鑑みてなされたものであり、遊技盤の裏面に取り付けられた画像制御基板アッセンブリの一部部を主基板アッセンブリの一部分が覆うように配置し、遊技盤に対して主基板アッセンブリを後方に揺動させることにより画像制御基板アッセンブリを遊技盤から着脱可能に構成した遊技機を提供することを目的とする。
【課題を解決するための手段】
【０００６】
前記課題を解決するために、本発明に係る遊技機は、前面に遊技領域が形成された遊技盤の裏面側に、左右方向に並んで取り付けられた左ユニット取付部および右ユニット取付部（例えば、実施形態における、左右主基板取付部１５，１６）と、これらの左右ユニット取付部に取り付けられる板状部材（例えば、実施形態における金属板１７）と、これらの左右ユニット取付部に揺動可能に取り付けられるユニット（例えば、実施形態における主基板アッセンブリ３０）とを有して構成される。
【０００７】
このような遊技機において、左ユニット取付部が、ユニットを揺動可能に支持する左支持面部を有する左支持部と、この左支持部から右方向に段状に延び、板状部材が取り付けられる左取付面部を有する左板取付部（例えば、実施形態における左金属板取付部１５ｃ）と、この左板取付部の左取付面部から外方に突出する左係合突起部と、左板取付部の下側の側面に突出するように形成された左下突起部とを有して構成され、また、右ユニット取付部が、左支持面部と略同一平面上に位置し、ユニットを揺動可能に支持する右支持面部を有する右支持部と、この右支持部から左方向に段状に延び、左取付面部と略同一平面上に位置し、板状部材が取り付けられる右取付面部を有する右板取付部（例えば、実施形態における右金属板取付部１６ｃ）と、右板取付部の右取付面部から外方に突出する右係合突起部と、右板取付部の下側の側面に突出するように形成された右下突起部とを有して構成され、さらに、板状部材が、左右板取付部の左右取付面部と当接する取付面部と、この取付面部の上下端部が折曲されて形成され、左右板取付部の上下の側面を覆う上下側面部と、取付面部に形成され、前記左右係合突起部の各々が挿入される左右係合孔と、これらの左右係合孔の各々の上側縁部に形成され、左右係合孔内に突出する左右嵌合部とを有して構成される。
【０００８】
そして、左右板取付部に板状部材を取り付けて、この板状部材の取付面部と左右板取付部の左右取付面部とが当接するときに、板状部材の下側面部が左右下突起部により下方に押され、左右係合突起部と左右係合孔の嵌合部とが嵌合するように構成される。
【０００９】
このような本発明の遊技機において、ユニットを揺動可能に支持する左右軸受部が、左右支持部の各々の下端に形成され、ユニットを左右支持部に対して揺動させたときに、このユニットの下側端部と左右板取付部の下側端部との間に間隙が形成されることが好ましい。
【００１０】
また、板状部材が導電性材料で形成され、ユニットが取り付けられたときに、この板状部材がユニットをシールドするように構成されることが好ましい。
【発明の効果】
【００１１】
本発明に係る遊技機を以上のように構成すると、左右ユニット取付部に板状部材を取り付けにおいて、左右ユニット取付部の左右取付面部と板状部材の取付面部とが当接するときに、左右下突起部により板状部材の下側面部が下方に押され、これにより、左右係合突起部と左右係合孔の嵌合部とが嵌合するため、この板状部材を左右ユニット取付部に簡単な操作で固定することができる。
【００１２】
また、この左右ユニット取付部の左右軸受部を中心にユニットを揺動させたときに、このユニットの下側端部と左右板取付部の下側端部との間に間隙が形成されると、ユニットを揺動させた状態で、左右ユニット取付部に対して金属板の着脱を行うことができる。
【００１３】
また、左右ユニット取付部とユニットとの間に位置する板状部材をシールドとして用いると、ユニットに対するノイズを低減させることができる。
【発明を実施するための最良の形態】
【００１４】
以下、本発明の好ましい実施形態について図面を参照して説明する。まず、本発明に係る遊技機の代表例としてパチンコ機ＰＭを図１に示し、この図面を参照してパチンコ機ＰＭの全体構成について説明する。ここで、図１はパチンコ機ＰＭの正面図である。
【００１５】
パチンコ機ＰＭは、外郭方形枠サイズに構成された縦向きの固定保持枠をなす外枠１の開口前面に、これに合わせた方形枠サイズに構成されて開閉搭載枠をなす前枠２が互いの左側縁部に配設された上下のヒンジ機構３ａ，３ｂにより横開き開閉および着脱が可能に取り付けられ、常には右側縁部に設けられた施錠機構４を利用して外枠１に閉鎖施錠された状態で保持される。
【００１６】
前枠２の各部には、パチンコ遊技を展開する遊技展開部材として、前枠２の前側面域に合わせた方形状のガラス扉５および球皿６が正面左側部に設けられたヒンジ機構７ａ，７ｂ，７ｃを利用して横開き開閉および着脱が可能に組付けられ、球皿６の右側下部には遊技球の発射操作を行う操作ハンドル８が装備されている。前枠２の中央部から上部にかけて後方に突出する方形枠状の収容枠（図示せず）が前枠２と一体に形成されており、この収容枠に所定のゲージ設定で構成された遊技盤１０が着脱可能にセット保持され、常には閉鎖保持されるガラス扉５に遊技盤１０の正面の遊技領域ＰＡを臨ませている。
【００１７】
なお、遊技盤１０は、板厚１９ｍｍ程度の積層合板を図示する所定形状に切断およびルーター加工して、その表面に所定意匠のセルを貼り付けた化粧板（ベニヤ板とも称される）１１を基板として構成される。また、前枠２には、帯状の案内レール１２が円弧状に固設され、この案内レール１２で囲まれた内側に上述の遊技領域ＰＡが区画される。
【００１８】
遊技領域ＰＡには、多数本の遊技釘とともにランプ風車や一般風車等の風車２１、一般入賞具や始動具並びに大入賞口を備えたアタッカー等の入賞具２２、および、遊技の進行状況に応じて所定の画像を表示させる画像表示装置２３が取り付けられ、遊技領域ＰＡの下端には入賞具２２に入賞せずに落下した遊技球（「アウト球」という）を遊技盤１０の裏面に排出させるアウト口２４が設けられている。各入賞具２２に落入した遊技球（「セーフ球」という）は、これらの入賞具２２に設けられた入賞口スイッチおよび始動口スイッチにより検出され、化粧板１１を貫通するセーフ球通路を通って遊技盤１０の裏面に排出される。また、アウト口２４に集められたアウト球は化粧板１１を貫通するアウト球通路孔を通って遊技盤１０の裏面側に排出される。
【００１９】
以上のように構成されたパチンコ機ＰＭは、前枠２、ガラス扉５および球皿６がともに閉止され施錠された状態で遊技に供され、球皿６に遊技球を貯留させて操作ハンドル８を回動操作することにより遊技が開始される。操作ハンドル８が回動操作されると、球皿６に貯留された遊技球が打球発射装置により１球ずつ遊技盤１０の遊技領域ＰＡに打ち出され、以降パチンコゲームが展開される。
【００２０】
遊技盤１０の裏面側には、パチンコ機ＰＭ全体の制御を行う主制御基板が収容された主基板アッセンブリ３０や、画像表示装置２３に表示される画像の制御を行う画像制御基板が収容された画像制御基板アッセンブリ４０が取り付けられている。それでは、図２〜図８を参照して、遊技盤１０に取り付けられた主基板アッセンブリ３０および画像制御基板アッセンブリ４０について説明する。ここで、図２は遊技盤１０の背面図であり、図３は遊技盤１０を背面側から見た斜視図であり、図４は遊技盤１０に取り付けられた左右主基板取付部１５，１６および金属板１７の分解斜視図であり、図５は左主基板取付部１５の背面図および底面図であり、図６は右主基板取付部１６の背面図および底面図であり、図７は金属板１７の背面図および側面図であり、図８は左右主基板取付部１５，１６に金属板１７を取り付けた状態の要部の背面図である。なお、以降の説明においては、図２〜図４の状態を基準にして前後左右、および、上下を定義する（図３参照）。
【００２１】
遊技盤１０の中央部には画像表示装置２３を取り付けるための開口部１３が形成されており、この開口部１３を挟むように遊技盤１０の裏面側の左右縁部に画像アッセンブリ取付部１４ａ，１４ｂが配設されている。画像制御基板アッセンブリ４０の左右両側部の上下には合計４個の取付突起部４０ａ，４０ｂが形成されており、この取付突起部４０ａ，４０ｂがネジ締結等で画像アッセンブリ取付部１４ａ，１４ｂに取り付けられて画像制御基板アッセンブリ４０が遊技盤１０に固定される。
【００２２】
また、遊技盤１０の下部における裏面側の左右縁部には、それぞれ左主基板取付部１５と右主基板取付部１６とが配設されている。まず、左主基板取付部１５は、図５に示すように、遊技盤１０に固定される左基部１５ａと、この左基部１５ａの後部に形成され、主基板アッセンブリ３０の左側を支持する左支持部１５ｂと、この左支持部１５ｂから右方に延びて形成され、金属板１７が取り付けられる左金属板取付部１５ｃとから構成される。この左支持部１５ｂは、背面側に位置し、主基板アッセンブリ３０を揺動可能に支持する左支持面部１５ｄを有している。また、左金属板取付部１５ｃは、背面側に位置し、後述する金属板１７が取り付けられる左取付面部１５ｅと、この左取付面部１５ｅの上端から前方に延びる左上側面部１５ｆと、左取付面部１５ｅの下端から前方に延びる左下側面部１５ｇとを有している。
【００２３】
また、右主基板取付部１６は、図６に示すように、遊技盤１０に固定される右基部１６ａと、この右基部１６ａの後部に形成され、主基板アッセンブリ３０の右側を支持する右支持部１６ｂと、この右支持部１６ｂから左方に延びて形成され、金属板１７が取り付けられる右金属板取付部１６ｃとから構成される。このとき、右支持部１６ｂは、背面側に位置し、主基板アッセンブリ３０を揺動可能に支持する右支持面部１６ｄを有している。また、右金属板取付部１６ｃは、背面側に位置し、金属板１７が取り付けられる右取付面部１６ｅと、この右取付面部１６ｅの上端から前方に延びる右上側面部１６ｆと、右取付面部１６ｅの下端から前方に延びる右下側面部１６ｇとを有している。
【００２４】
ここで、左右支持部１５ｂ，１６ｂの左右支持面部１５ｄ，１６ｄは略同一平面上に位置している。また、左右金属板取付部１５ｃ，１６ｃは、左右支持部１５ｂ，１６ｂよりも前後方向幅および上下方向幅が小さく形成されて、全体として階段状に構成されており、左右取付面部１５ｅ，１６ｅは略同一平面上に位置している。
【００２５】
左主基板取付部１５の左取付面部１５ｅには、後方に突出して上下方向に延びる左外側突起部１５ｈと左内側突起部１５ｉとからなる左係合突起部１５ｊが形成されている。同様に、右主基板取付部１６の右取付面部１６ｅには、後方に突出して上下方向に延びる右外側突起部１６ｈと右内側突起部１６ｉとからなる右係合突起部１６ｊが形成されている。また、左支持部１５ｂの右端部には、左支持面部１５ｄから左取付面部１５ｅ上に突出するように上下に並んだ２個の突起部１５ｋが形成され、同様に、右支持部１６ｂの左端部には、右支持面部１６ｄから右取付面部１６ｅ上に突出するように上下に並んだ２個の突起部１６ｋが形成されている。さらに、左金属板取付部１５ｃの左下側面部１５ｇには下方に突出する左下突起部１５ｍが形成され、右金属板取付部１６ｃの右下側面部１６ｇには下方に突出する右下突起部１６ｍが形成されている。
【００２６】
一方、このような左右金属板取付部１５ｃ，１６ｃに取り付けられる金属板１７は、図７に示すように、平板状の金属板の上端部と下端部を折り曲げて形成されており、左右金属板取付部１５ｃ，１６ｃと当接する取付面部１７ａ、この取付面部１７ａの上端から前方に延びる上側面部１７ｂ、および、取付面部１７ａの下端から前方に延びる下側面部１７ｃを有している。そして、取付面部１７ａには、左右の縁部近傍にそれぞれ前後方向に貫通した左取付孔１７ｄと右取付孔１７ｅが形成されている。また、左右取付孔１７ｄ，１７ｅの上端部には、この取付孔内に突出する左右嵌合部１７ｆ，１７ｇが形成されている。
【００２７】
なお、図５〜図７に示すように、左金属板取付部１５ｃの左上側面部１５ｆから左下突起部１５ｍまでの上下方向の幅Ｄ1、右金属板取付部１６ｃの右上側面部１６ｆから右下突起部１６ｍまでの上下方向の幅Ｄ2、および、金属板１７の上側面部１７ｂから下側面部１７ｃまでの内側の上下方向の幅Ｄ3は、略同一大きさに形成されている。
【００２８】
この金属板１７を左右金属板取付部１５ｃ，１６ｃに取り付けると、図８に示すように、左係合突起部１５ｊ（左外側および内側突起部１５ｈ，１５ｉ）が左取付孔１７ｄに挿入され、右係合突起部１６ｊ（右外側および内側突起部１６ｄ，１６ｅ）が右取付孔１７ｅに挿入される。そして、金属板１７の取付面部１７ａの前面側が左右金属板取付部１５ｃ，１６ｃの左右取付面部１５ｅ，１６ｅと当接するとき、この金属板１７の下側面部１７ｃが、左右金属板取付部１５ｃ，１６ｃの左右下側面部１５ｇ，１６ｇに形成された左右下突起部１５ｍ，１６ｍにより下方に押し下げられ、金属板１７の上側面部１７ｂが左右金属板取付部１５ｃ，１６ｃの左右上側面部１５ｆ、１６ｆと当接するとともに、左右取付孔１７ｄ，１７ｅに形成された左右嵌合部１７ｆ，１７ｇが、それぞれ、左外側および内側突起部１５ｈ，１５ｉの上端側の間と、右外側および内側突起部１６ｈ，１６ｉの上端側の間とに挿入されて嵌合する。また、金属板１７の取付面部１７ａの左右端部が、それぞれ、突起部１５ｋ，１６ｋに当接する。そのため、金属板１７と左右金属板取付部１５ｃ，１６ｃとの上下方向ガタが左右下突起部１５ｍ，１６ｍで抑えられ、左右方向ガタが、突起部１５ｋ，１６ｋと左右嵌合部１７ｆ，１７ｇとで抑えられる。
【００２９】
なお、このように金属板１７を左右主基板取付部１５，１６に取り付けることにより、この左右主基板取付部１５，１６の強度を上げることができる。
【００３０】
次に主基板アッセンブリ３０について図９を用いて説明する。ここで、図９は主基板アッセンブリ３０の分解斜視図である。主基板アッセンブリ３０は、パチンコ機ＰＭの作動を統括的に制御する主制御基板３１と、この主制御基板３１を内部に収容する主基板ケースとから構成される。ここで主基板ケースは、遊技盤１０の裏面側に着脱されるケース本体部材５０と、このケース本体部材５０に着脱自在に取り付けられるケース蓋部材６０とから構成される。この主基板アッセンブリ３０は、主制御基板３１がケース蓋部材６０の内面側に取り付けられた状態で、このケース蓋部材６０をケース本体部材５０に装着可能に構成される。
【００３１】
主制御基板３１は、中央部に配置されたＣＰＵ３２や左右に配設された接続コネクタ３３等の電子部品を有して構成される。この主制御基板３１の四隅には、基板取付孔３４が形成されており、基板取付ネジ６１をこの基板取付孔３４に挿入し、ケース蓋部材６０の内側面に形成された基板取付部（図４においては図示せず）に対して螺挿することにより、主制御基板３１をケース蓋部材６０に対してネジ締結するように構成されている。
【００３２】
ケース本体部材５０は、前面側に開口を有する矩形箱状の形状を有しており、ＡＢＳ樹脂やポリカーボネート（ＰＣ）等の透明な樹脂材料を用いて射出成形等の成形手段により一体的に成形される。このケース本体部材５０の内面側底部５１には、補強リブ５２が
縦横に形成されており、ケース本体部材５０の強度を向上させている。また、ケース本体部材５０の側壁部（図９においては、底部５１の上下の縁部から前方に延びる側壁部）５３，５３のそれぞれには、複数の蓋部材取付溝５４が形成されている。
【００３３】
ケース蓋部材６０は、ケース本体部材５０の開口を覆う矩形箱状の形状を有しており、ＡＢＳ樹脂やポリカーボネート（ＰＣ）等の透明な樹脂材料を用いて射出成形等の成形手段により一体的に成形される。このケース蓋部材６０の上下方向縁部に位置する側壁部６９には、外方（図９においては上下方向）に突出する係止突起部６２が複数形成されている。この係止突起部６２は、上述の蓋部材取付溝５４と同じ数だけ形成されており、その配置間隔も蓋部材取付溝５４と対応している。そのため、ケース本体部材５０に対してケース蓋部材６０を取り付けるときは、ケース本体部材５０の開口側から、蓋部材取付溝５４に係止突起部６２を挿入し、その後、ケース蓋部材６０を左右方向（この実施例においては左方向）にスライド移動させることで、係止突起部６２と蓋部材取付溝５４とを嵌合させ、ケース本体部材５０に対してケース蓋部材６０を取り付ける。
【００３４】
ここで、ケース本体部材５０の左端側には本体側仮止部５５が形成されており、ケース蓋部材６０の左端側には蓋側仮止部６３が形成されている。ケース本体部材５０にケース蓋部材６０が取り付けられたとき、すなわち、ケース本体部材５０に対してケース蓋部材６０が左方向にスライド移動して取り付けられたときに、これらの本体側仮止部５５と蓋側仮止部６３との位置は一致して係合し、ケース蓋部材６０がケース本体部材５０に対して右方向にスライド移動するのを規制する。なお、ケース本体部材５０およびケース蓋部材６０は、上述のように、樹脂材料で形成されており、これらの本体側仮止部５５および蓋側仮止部６３は薄く形成されているため、容易に撓めることができる。そのため、蓋側仮止部６３の左端側を本体側仮止部５５から離すように撓めることにより本体側仮止部５５と蓋側仮止部６３の係合は解除され、ケース本体部材５０に対して、ケース蓋部材６０を右方にスライド移動して、このケース蓋部材６０をケース本体部材５０から取り外すことができる。
【００３５】
このように、主制御基板３１が収容される主基板ケースを、互いに分離できるケース本体部材５０とケース蓋部材６０とに分けて構成することにより、主制御基板３１をケース蓋部材６０に取り付けるときは、このケース蓋部材６０の開口部を上方に向けて作業机等に載置した状態で行うことができるので、取り付け作業が容易になり組み立ての効率が向上する。また、ケース蓋部材６０をケース本体部材５０に取り付けるときも、スライド移動だけで取り付けることができるので、この作業も容易である。また、このようにケース本体部材５０にケース蓋部材６０をスライドして取り付ける構成にすると、ケース本体部材５０側に蓋部材取付溝５４を形成し、ケース蓋部材６０に係止突起部６２を形成することで取り付け構造ができるため、ケース本体部材５０およびケース蓋部材６０の構造を簡単にすることができる。
【００３６】
以上のように、主制御基板３１は、主基板ケース（ケース本体部材５０およびケース蓋部材６０）内に格納されているため、主制御基板３１に対する不正行為を防止することができる。また、ケース本体部材５０に対してケース蓋部材６０をスライド移動できなくして不正操作を防止するために、この主基板アッセンブリ３０には不正開放防止機構７０が設けられている。
【００３７】
この不正開放防止機構７０は、ケース本体部材５０に形成された本体側係合部５６と、ケース蓋部材６０に形成された蓋側係合部６４と、この蓋側係合部６４に挿入されて用いられるストッパ部材７１とから構成される。このストッパ部材７１には係合爪部が形成されており、ケース本体部材５０にケース蓋部材６０が取り付けられたときに、この係合爪部が本体側係合部５６と係合することによりケース本体部材５０とケース蓋部材６０とがロックされ、ケース蓋部材６０から蓋側係合部６４を切断しない限りケース本体部材５０に対してケース蓋部材６０をスライド移動できないように構成されている。
【００３８】
このように構成された主基板アッセンブリ３０は、左右主基板取付部１５，１６に取り付けられており、左右主基板取付部１５，１６は、画像アッセンブリ取付部１４ａ，１４ｂよりも後方に突出するように形成されているため、図２および図３に示すように、主基板アッセンブリ３０の上部が、後面視において、画像制御基板アッセンブリ４０の下部を後方から覆うように遊技盤１０に取り付けられる。このように、主基板アッセンブリ３０が画像制御基板アッセンブリ４０の一部を覆う（後面視において一部が重なる）ように配置することにより、画像制御基板アッセンブリ４０の大型化に対して遊技盤１０の上下方向寸法を大きくすることなく、これらのアッセンブリ３０，４０をこの遊技盤１０の裏面側に配設することができる。
【００３９】
それでは、主基板アッセンブリ３０と画像制御基板アッセンブリ４０の遊技盤１０に対する取り付けおよび取り外し方法について図１０および図１１を合わせて用いて説明する。ここで、図１０は、遊技盤１０に対して主基板アッセンブリ３０を揺動させて傾けた場合の斜視図であって、金属板１７を取り付けた状態であり、図１１は、金属板１７を取り外した状態である。
【００４０】
遊技盤１０の裏面に取り付けられた左右主基板取付部１５，１６の左右支持部１５ｂ，１６ｂにおける左右支持面部１５ｄ，１６ｄの下端部には、それぞれ後方に突出し、上方が開口したＵ字状の左右軸受部１５ｎ，１６ｎが設けられている。また、主基板ケースのケース本体部材５０には、左右の両側部の下部から左右方向に突出して同軸上に延びる取付軸５７ａ，５７ｂが設けられている。遊技盤１０に主基板アッセンブリ３０を取り付けるときは、図１０に示すように、左右主基板取付部１５，１６に対して主基板アッセンブリ３０を斜めにして、取付軸５７ａ，５７ｂを上方から左右軸受部１５ｎ，１６ｎの開口に挿入した後、取付軸５７ａ，５７ｂを中心に主基板アッセンブリ３０を前方に揺動させる。
【００４１】
なお、左右主基板取付部１５，１６に対する主基板アッセンブリ３０の固定は、ケース本体部材５０の左側部から外方に延びた左側固定部５８に取り付けられた左ナイラッチ３６と、ケース蓋部材６０の右側部から外方に延びた右側固定部６８に取り付けられた右ナイラッチ３７とが用いられる。ナイラッチとは、上部に位置する操作部を下方に押し下げると、下部に位置する張出部が外周方向に張り出してその径が大きくなり、操作部を上方に引き上げると、張出部が内周方向に格納されてその径が小さくなるように構成された係止部材である。
【００４２】
左右ナイラッチ３６，３７の操作部が引き上げられた状態で、上述のように、主基板アッセンブリ３０が取付軸５７ａ，５７ｂを中心に上方に揺動されると、左右主基板取付部１５，１６における左右支持部１５ｂ，１６ｂの左右ナイラッチ３６，３７に対向する位置に係合孔１５ｐ，１６ｐが形成されており、この係合孔１５ｐ，１６ｐに左右ナイラッチ３６，３７の張出部が挿入される。この状態で左右ナイラッチ３６，３７の操作部を押し下げると張出部が張り出して係合孔１５ｐ，１６ｐと係合し、主基板アッセンブリ３０が左右主基板取付部１５，１６に固定される。
【００４３】
このとき、左右主基板取付部１５，１６の左右支持部１５ｂ，１６ｂに形成された左係合突起部１５ｊ（左外側および内側突起部１５ｈ，１５ｉ）と、右係合突起部１６ｊ（右外側および内側突起部１６ｈ，１６ｉ）とが、ケース本体部材５０の裏面側（図２等においては、前面側）に形成されたリブ５９により作られる格子に挿入されるため、主基板アッセンブリ３０の荷重は、取付軸５７ａ，５７ｂと左右ナイラッチ３６，３７に加えてこの左右係合突起部１５ｊ，１６ｊとで支えられるように構成されている。
【００４４】
また、なお、左右金属板取付部１５ｃ，１６ｃに金属板１７が取り付けられたときの、この金属板１７の取付面部１７ａの後面と左右支持部１５ｂ，１６ｂの左右支持面部１５ｄ，１６ｄとは略同一平面上に位置するように構成されている。そのため、主基板アッセンブリ３０が左右主基板取付部１５，１６に取り付けられると、ケース本端部材５０の裏面側（図１０においては前方側の面）が左右支持部１５ｂ，１６ｂの左右支持面部１５ｄ，１６ｄおよび金属板１７の取付面部１７ａに当接するため、この金属板１７の前後方向のガタが抑えられ固定される。
【００４５】
このように、左右軸受部１５ｎ，１６ｎに対して取付軸５７ａ，５７ｂを中心に揺動させることにより、主基板アッセンブリ３０を後方に揺動させると、画像制御基板アッセンブリ４０の後方側に作業空間を形成することができる。そのため、画像制御基板アッセンブリ４０を後方から覆うように主基板アッセンブリ３０が取り付けられていても、この作業空間を利用して、画像制御基板アッセンブリ４０を遊技盤１０に対して着脱することができ、作業が容易になる。特に、画像制御基板アッセンブリ４０や画像表示装置２３は交換・保守作業が必要となる場合があるため、このように主制御基板アッセンブリ３０を容易に揺動可能にすることにより、これらの作業の効率化を図ることができる。
【００４６】
ところで、図１１等に示すように遊技盤１０において、左右主基板取付部１５，１６の間には例えば、画像制御基板アッセンブリ４０に電源や信号を送るためのコネクタ等が設けられている。そのため、主基板アッセンブリ３０を左右主基板取付部１５，１６に対して後方に揺動させた状態で金属板１７の取り付けおよび取り外しを行う必要がある。
【００４７】
このとき、左右金属板取付部１５ｃ，１６ｃは、左右軸受部１５ｎ，１６ｎが設けられている左右支持部１５ｂ，１６ｂよりも上下方向および前後方向幅が小さく形成されており、かつ、左右軸受部１５ｎ，１６ｎは左右支持部１５ｂ，１６ｂの下端に設けられているため、この金属板取付部１５ｃ，１６ｃの後側の下端部と主基板アッセンブリ３０の前側の下端部との間に間隙１８が形成される。そのため、この間隙１８を利用することにより、主基板アッセンブリ３０が左右主基板取付部１５，１６に前方に揺動された状態で取り付けられていても、金属板１７の取り付けおよび取り外しを行うことができる。すなわち、金属板１７を左右の金属板取付部１５ｃ，１６ｃに取り付けるときは、金属板１７の下側面部１７ｃの端部が間隙１８にあるため、この下側面部１７ｃを左右金属板取付部１５ｃ，１６ｃの左右下側面部１５ｇ，１６ｇに当接するように挿入し、最後に左右下突起部１５ｍ，１６ｍによりこの下側面部１７ｃを下方に押すことによりこの金属板１７を固定することができる。取り外すときも同様である。
【００４８】
なお、主基板アッセンブリ３０を構成するケース本体部材５０およびケース蓋部材６０は透明な素材で形成されているため、内部に装着された主制御基板３１の状態を外部から視認することができるが、ＡＢＳ樹脂やＰＣ等の樹脂材料を用いた場合、シールド効果は期待できず、例えば、前方側に位置する画像制御基板アッセンブリ４０からのノイズの影響を主制御基板３１が受けてしまう。しかしながら、上述のように、左右主基板取付部１５，１６と主基板アッセンブリ３０との間に導電性の金属板１７が取り付けられているため、この金属板１７がシールドとなり、主制御基板３１に対するノイズを低減することができる。
【００４９】
以上説明した本発明の実施形態において、達成される主要な効果を整理すれば、下記のようになる。
【００５０】
第１に、左右主基板取付部１５，１６の間に金属板１７を取り付けることにより、この左右主基板取付部１５，１６の強度を高くすることができる。
【００５１】
第２に、左右金属板取付部１５ｃ，１６ｃの左右下側面部１５ｇ，１６ｇに、左右下突起部１５ｍ，１６ｍを設けることにより、この左右主基板取付部１５，１６に金属板１７を取り付ける場合において、左右主基板取付部１５，１６の左右取付面部１５ｅ，１６ｅと金属板１７の取付面部１７ａとが当接するときに、左右下突起部１５ｍ１６ｍにより金属板１７の下側面部１７ｃが下方に押され、これにより、左右係合突起部１５ｊ，１６ｊと左右係合孔１７ｄ，１７ｅの左右嵌合部１７ｆ，１７ｇとが嵌合するため、この金属板１７を左右主基板取付部１５，１６に簡単な操作で固定することができる。
【００５２】
また、第３に、この左右主基板取付部１５，１６の左右軸受部１５ｎ，１６ｎを中心に主基板アッセンブリ３０を揺動させたときに、この主基板アッセンブリ３０の下側端部と左右金属板取付部１５ｃ，１６ｃの下側端部との間に間隙１８が形成されることにより、主基板アッセンブリ３０を揺動させた状態で、左右主基板取付部１５，１６に対して金属板１７の着脱作業を行うことができる。
【００５３】
さらに、第４に、左右主基板取付部１５，１６と主基板アッセンブリ３０との間に位置する金属板１７をシールドとして用いると、この主基板アッセンブリ３０に対するノイズを低減させることができる。
【図面の簡単な説明】
【００５４】
【図１】本発明に係る遊技機の一例として示すパチンコ機の正面図である。
【図２】上記パチンコ機に設けられた遊技盤の背面図である。
【図３】上記遊技盤の背面側の斜視図である。
【図４】上記遊技盤に取り付けられる左右主基板取付部と金属板との分解斜視図である。
【図５】左主基板取付部を示す図であって、（ａ）は背面図であり、（ｂ）は底面図である。
【図６】右主基板取付部を示す図であって、（ａ）は背面図であり、（ｂ）は底面図である。
【図７】金属板を示す図であって、（ａ）は背面図であり、（ｂ）は側面図である。
【図８】上記遊技盤に取り付けられた状態の左右主基板取付部と金属板の背面図である。
【図９】上記パチンコ機に設けられた主基板アッセンブリの分解斜視図である。
【図１０】主基板アッセンブリを左右主基板取付部に対して揺動させた状態であって、金属板を取り付けた状態を示す背面側から見た斜視図である。
【図１１】主基板アッセンブリを左右主基板取付部に対して揺動させた状態であって、金属板を取り外した状態を示す背面側から見た斜視図である。
【符号の説明】
【００５５】
ＰＭ  遊技機
ＰＡ  遊技領域
１０  遊技盤
１５  左主基板取付部（左ユニット取付部）
１５ｂ  左支持部
１５ｃ  左金属板取付部（左板取付部）
１５ｄ  左支持面部
１５ｅ  左取付面部
１５ｊ  左係合突起部
１５ｍ  左下突起部
１５ｎ  左軸受部
１６  右主基板取付部（右ユニット取付部）
１６ｂ  右支持部
１６ｃ  右金属板取付部（右板取付部）
１６ｄ  右支持面部
１６ｅ  右取付面部
１６ｊ  右係合突起部
１６ｍ  右下突起部
１６ｎ  右軸受部
１７  金属板（板状部材）
１７ａ  取付面部
１７ｂ  上側面部
１７ｃ  下側面部
１７ｄ  左係合孔
１７ｅ  右係合孔
１７ｆ  左嵌合部
１７ｇ  右嵌合部
１８  間隙
３０  主基板アッセンブリ（ユニット）
【図１】
0004836184.tif 000002
【図２】
0004836184.tif 000003
【図３】
0004836184.tif 000004
【図４】
0004836184.tif 000005
【図５】
0004836184.tif 000006
【図６】
0004836184.tif 000007
【図７】
0004836184.tif 000008
【図８】
0004836184.tif 000009
【図９】
0004836184.tif 000010
【図１０】
0004836184.tif 000011
【図１１】
0004836184.tif 000012